(57)【特許請求の範囲】
【請求項１】
壁面に磁着されるための磁石と、被支持対象を支持するための支持部とを備えて成る磁着支持具であって、
前記磁石を保持し、かつ、前記支持部を備える枠体を設けるとともに、前記磁石によって壁面に磁着されている使用状態では、前記枠体における前記磁石の横側方に位置する部分と壁面との間に手指の差し入れを許容する間隙部が形成されるように構成され、
前記磁石の横側方に位置する部分は、前記枠体における前記磁石を収容する囲み部分より明確に横側方に張出ており、
前記間隙部に差し入れられた手指による前記横側方に位置する部分の引き戻しにより、前記磁石を収容するヨークの端面における前記手指存在側と反対側の端を支点として揺動移動する状態に構成されている磁着支持具。
【請求項２】
前記磁石がその壁面への磁着方向視で矩形を呈する形状に構成されるとともに、前記間隙部が前記磁着方向視において前記磁石の長手方向と交差する横方向に位置する状態に設定されている請求項１に記載の磁着支持具。
【請求項３】
前記支持部が、被支持対象を吊下げ支持可能な棒状体を前記枠体から立設するために前記枠体に形成される孔を有して構成されている請求項１又は２に記載の磁着支持具。
【発明の詳細な説明】
【技術分野】
【０００１】
本発明は、建物の側壁、仕切り壁、天井壁などの磁力吸着可能な壁面に好適に使用される磁着支持具に係り、詳しくは、壁面に磁着されるための磁石と、被支持対象を支持するための支持部とを備えて成る磁着支持具に関するものである。
【背景技術】
【０００２】
この種の磁着支持具としては、特許文献１において開示される吊下具や、特許文献２において開示される吊り金具などが知られている。特許文献１の吊下具（１）は、吊り下げ用のフック（４）を設けるベース（２）の裏側にマグネット（３）が収容装備されており、滑り止めシート（５）が貼着されている裏面をマグネット（３）の磁力で壁面（Ｗ）に磁着させる構造のものである。
【０００３】
特許文献２の吊り金具（８）は、磁石（１）の両側にＬ字形の鉄板（２），（３）が配され、各鉄板（２），（３）を一体的に繋ぐ橋部（５）を吊下げ用の構造部分とするものである。例えば、その図３にて示されるように、複数の吊り金具（８）を天井壁に磁着させ、生産性や施工性良く、かつ、支持強度十分に配管やダクト（１２）を吊下げ支持することが可能である。
【０００４】
これらの磁着支持具（吊下具、吊り金具などの総称）は、その強力な磁力により、衣服、カバン、時計といった結構な重さの被支持対象を簡単に壁面支持できる利点がある。ところで、その強い磁力故に、一旦壁面に磁着させたら取り外すのが意外と困難である。この磁着支持具の取り外しの困難性については、特許文献３の段落番号０００４に記載されている通りである。
【０００５】
それゆえ、特許文献３にて開示される磁性吊下具においては、容易に取外せるようにするための工夫が為されている。即ち、吊下具（３）を備える吊下具取付本体（２）を、マグネット（４）を備えるマグネット取付本体（１）に対して揺動可能に支持する構造とされている。つまり、吊下具（３）を手前に引上げ移動させることで支軸（１２）を支点としたてこの原理が機能し、増幅された力によってマグネット取付本体（１）をその端において壁面から引き離すことができる、というものである。
【先行技術文献】
【特許文献】
【０００６】
【特許文献１】特開２００７−１５９６８３号公報
【特許文献２】特開平８−３０３６５１号公報
【特許文献３】特開２００５−２１８４８７号公報
【発明の概要】
【発明が解決しようとする課題】
【０００７】
しかしながら、取り外しの利便性を良くするだけのために、吊下具取付本体（２）とマグネット取付本体（１）とを各別に設け、しかもそれら両者を互いに揺動可能に枢支させるというコストが嵩むものになっているとともに、構造も複雑化している。そして、重量物にも耐えるべく強力マグネットを用いる磁着支持具では、各構成要素や枢支構造も強度や剛性をさらに高める必要があり、コストパフォーマンスの点ではあまり芳しいものではなく、改善の余地があるように思える。
【０００８】
本発明の目的は、さらなる構造工夫により、良好な取外し易さを備えながらも構造簡単で、かつ、さほどコストアップもしないで済むように改善される磁着支持具を開発して提供する点にある。
【課題を解決するための手段】
【０００９】
請求項１に係る発明は、壁面Ｗに磁着されるための磁石３と、被支持対象Ｍを支持するための支持部２とを備えて成る磁着支持具において、
前記磁石３を保持し、かつ、前記支持部２を備える枠体１を設けるとともに、前記磁石３によって壁面Ｗに磁着されている使用状態では、前記枠体１における前記磁石３の横側方に位置する部分１１と壁面Ｗとの間に手指ｙの差し入れを許容する間隙部１３が形成されるように構成され、
前記磁石３の横側方に位置する部分１１は、前記枠体１における前記磁石３を収容する囲み部分１Ｂより明確に横側方に張出ており、
前記間隙部１３に差し入れられた手指ｙによる前記横側方に位置する部分１１の引き戻しにより、前記磁石３を収容するヨーク１０の端面１０ａにおける前記手指ｙ存在側と反対側の端を支点Ｐとして揺動移動する状態に構成されていることを特徴とするものである。
【００１０】
請求項２に係る発明は、請求項１に記載の磁着支持具において、前記磁石３がその壁面Ｗへの磁着方向視で矩形を呈する形状に構成されるとともに、前記間隙部１３が前記磁着方向視において前記磁石３の長手方向と交差する横方向に位置する状態に設定されていることを特徴とするものである。
【００１１】
請求項３に係る発明は、請求項１又は２に記載の磁着支持具において、前記支持部２が、被支持対象Ｍを吊下げ支持可能な棒状体６を前記枠体１から立設するために前記枠体１に形成される孔２Ａを有して構成されていることを特徴とするものである。
【発明の効果】
【００１２】
請求項１の発明によれば、詳しくは実施形態の項にて述べるが、壁面への磁着部位の一端を中心としての揺動移動によって磁着支持具を引き離すように、即ちてこの原理でもって枠体を壁面から引き離して取り外すことができる。つまり、手指による比較的軽い力でもって磁着支持具を無理移動させることなく軽快に外すことが可能になる。その結果、さらなる構造工夫により、良好な取外し易さを備えながらも構造簡単で、かつ、さほどコストアップもしないで済むように改善される磁着支持具を開発して提供する
【００１３】
請求項２の発明によれば、これも実施形態の項にて詳しく述べるが、磁着方向視で磁石の長手方向に間隙部がある構成の場合より、磁着方向視で磁石の長手方向と交差する横方向に間隙部が位置する構成の場合の方が、壁面からの引き離し力を小さくすることができる。故に、磁石の形状を考慮して間隙部の配置場所を設定することにより、より軽快に枠体の壁面からの引き離しが行え、請求項１の発明による前記効果が強化されるという利点が得られる。
【００１４】
請求項３の発明によれば、枠体に形成される孔にハンガーやフックを引掛けるとか、その孔を使って棒状のフックや金具を螺着することができるなど、構造簡単で追加部品もない経済的な構造としながらも使い勝手に優れる磁着支持具を提供することができる。
【図面の簡単な説明】
【００１５】
【図１】吊り用磁着支持具の一部切欠きの側面図（実施例１）
【図２】図１の磁着支持具の背面図
【図３】（ａ）図１の磁着支持具の平面図、（ｂ）図１の磁着支持具の正面図
【図４】磁着支持具の取外し方を示し、（ａ）は手指挿入状態を示す平面図、（ｂ）は外し操作を示す平面図
【図５】雑誌置き用磁着支持具を示す側面図（実施例２）
【図６】図５の磁着支持具の支持部を示す要部の平面図
【図７】引離し操作時の力学を示し、（ａ）は横向きの場合、（ｂ）は縦向きの場合
【図８】別構造の磁着支持具を示す平面図（別実施例）
【発明を実施するための最良の形態】
【００１６】
以下に、本発明による磁着支持具の実施の形態を、図面を参照しながら説明する。図１〜図４は実施例１の磁着支持具であり、図５，６は実施例２の磁着支持具である。図８は別実施例の磁着支持具である。
【００１７】
〔実施例１〕
吊り用としての実施例１による磁着支持具Ａは、図１〜図３に示すように、アクリル材製の枠体１と、枠体１に設けられる支持部２と、枠体１に装備される複数の磁石３とを有して構成されている。つまり、壁面Ｗに磁着されるための磁石３と、カバンなどの被支持対象Ｍを支持するための支持部２と、磁石３を保持し、かつ、支持部２を備える枠体１とを設けて磁着支持具Ａが構成されている。
【００１８】
枠体１は、正面視で直方体を為す平板部１Ａと、磁石３を収容配備すべく平板部１Ａの裏側に形成される囲み部１Ｂとを有するとともに、平板部１Ａの左右中央で上に寄った箇所に前後に貫通する一箇所の孔２Ａが形成されており、この孔２でもって支持部２が構成されている。実施例１の磁着支持具Ａでは、孔２Ａを平板部１Ａの裏側から表側に通されるビス４と一対のワッシャ５，５とを用いて金属棒６を螺着しており、その平板部１Ａの表面１ａから立設される金属棒６にポリ袋、カバン、ハンガーなどの被支持対象Ｍを吊下げることができる。なお、金属棒６の先端部にははずれ防止用のゴム輪７が強制外嵌装着されている。つまり、支持部２が、被支持対象Ｍを吊下げ支持可能な棒状体（金属棒）６を枠体１から立設するために枠体１に形成される孔２Ａを有して構成されている。
【００１９】
平板部１Ａは所定の肉厚を有する長方形板であり、囲み部１Ｂは左右一対の縦条８，８と、上下一対の横条９，９とで囲まれた四角い空間部を有する部分である。囲み部１Ｂには、やや横長形状で厚さの薄い扁平形状の方形磁石３の６個が上下一列に並べて配置されている。平板部１Ａの上下幅は横条９，９の全幅と同サイズであるが、横幅は縦条８，８の全幅よりも明確に広く、左右それぞれに張出し板部（「磁石の横側方に位置する部分」の一例）１１が形成されている。図３（ｂ）に示すように、装飾紙を貼るなどによって枠体１の表面に装飾部分１９を形成しても良い。
【００２０】
各磁石３は、コ字状を呈する金属板製のヨーク１０に収容されており、各ヨーク１０の一対の長尺状端面１０ａ，１０ａは、磁石３より僅かに後方に突出しており、計１２箇所の端面１０ａが壁面Ｗに対して磁着される部分となる。各条８，９は互いに同一高さであり、各ヨーク１０の端面１０ａよりは低い。上端の磁石３と二段目の磁石３との上下間には間隙が空けられており、その間隙部分における平板部１Ａに孔２が形成されている。従って、ドライバー（ねじ回し）によるビス４の締付や緩め操作はその間隙部分を用いて行われる。また、壁面Ｗを保護すべく、各磁石３（及び各端面１０ａ）は接着などによって装備される保護用布１２で覆われている。
【００２１】
さて、磁着支持具Ａが壁面Ｗに磁着されている使用状態においては、左右の張出し板部１１と壁面Ｗとの間には、手指ｙが差し込み可能となる程度の隙間が存在するようになっている。具体的には、枠体１における磁石３の横側方に位置する部分、即ち張出し板部１１と壁面Ｗとの間に手指ｙの差し入れを許容する間隙部１３が形成されるように構成されている。つまり、磁石３が全体としてその壁面Ｗへの磁着方向（矢印イ方向）視で矩形を呈する形状に構成されるとともに、間隙部１３が平面視において前記磁石の長手方向（矢印ロ方向）と交差する横方向（矢印ハ方向）に位置する状態に設定されている。従って、実施例１による縦長形の磁着支持具Ａを壁面Ｗから引き離して取り外すには、次のような操作を行う。
【００２２】
まず、図４（ａ）に示すように、壁面Ｗに磁着されている磁着支持具Ａの横側方から手指ｙを近付けて行き、その指先を間隙部１３に滑り込ませて張出し板部１１の裏側に位置させる。次いで、図４（ｂ）に示すように、張出し板部１１を壁面Ｗから垂直に引離すべく手指ｙを手前に引き戻すように力を入れると、ヨーク１０の端面１０ａにおける手指ｙ存在側と反対側の端を支点Ｐ（上下向きの縦軸心）として枠体１が揺動移動し、引離すことができる。
【００２３】
この場合、端面１０ａの左右幅を２ｄ、端面１０ａの一方の端から反対側の枠体１の端までの間隔をＤとし、磁着支持具Ａを壁面Ｗから引離すに必要な手指ｙの力Ｆは、磁石３による磁着力をｆとする〔図４（ａ）参照〕と、ｄ×ｆ＝Ｄ×Ｆが成り立つことから、
（１）…Ｆ＝ｄ×ｆ／Ｄ
となる。つまり、間隙部１３に手指ｙが差し込めることで「てこの原理」が使え、しかも支点Ｐを中心とした揺動移動によって引き離せる状況が形成可能となっており、それにより磁着支持具を引き剥がすべく猛烈に引っ張らねばならないとか、その反動で磁着支持具や手指などが他物にぶつかる、或いは磁着支持具を引き摺って壁面を傷付けたりする、という従来の不都合を招くことなく、比較的軽い力で軽快にかつ容易に壁面Ｗから引き離して取外すことができる。
【００２４】
比較参考として、図８に示すように、磁石３の上下に張出し板部（「磁石の横側方に位置する部分」の一例）１１が形成される磁着支持具Ａｔを壁面Ｗから引離して取外す場合について考察する。この場合、簡単のため、複数の磁石３による磁力ｆｔは、磁石３の上下幅（２×ｄｔ）の中心にあるとし、また、上下の張出し板部１１の張出し量（長さ）ｈｔは、実施例１による磁着支持具Ａの張出し量ｈと同じ（ｈ＝ｈｔ）であるとする。
【００２５】
例えば、下側の張出し板部１１を使って引離す場合、手指ｙに必要とされる力Ｆｔは、同様に、
（２）…Ｆｔ＝ｄｔ×ｆｔ／Ｄｔ
となる。ここで、磁着支持具Ａ，Ａｔの寸法例としてｄ＝２２．５、Ｄ＝７３、ｄｔ＝１００、Ｄｔ＝２２８（単位：ｍｍ）を代入すると、Ｆ≒０．３０８ｆ、Ｆｔ≒０．４３９ｆｔとなる。ｆ＝ｆｔであるから、Ｆ＝０．７０２Ｆｔとなる。即ち、手指ｙに必要な力（引離し力）は、横向きの場合には縦向きの場合の約７０％で済むことになる。
【００２６】
〔実施例２〕
実施例２による磁着支持具Ａは、図５，図６に示すように、支持部２の使い方を変えたものである。即ち、単行本、雑誌、月刊誌などを置いて保持することができるマガジンラック仕様の磁着支持具Ａであって、実施例１の場合と同様の構造で支持部２にビス止めされる棒状体６と、棒状体６の先端にビス止めされるベースプレート１４と、ベースプレート１４に回動可能に枢支される受プレート１５とを有して成る置き台１６を備える磁着支持具Ａであり、それ以外の部分は実施例１の磁着支持具Ａと同じである。
【００２７】
ステンレス鋼板等の板材で成るベースプレート１４は、棒状体６にビス１７で固定される左右壁１４ａと、左右壁の左右端から伸びる状態で折り曲げ形成される左右一対の側壁１４ｂ，１４ｂと、各側壁１４ｂの基端から折り曲げ形成される左右一対の引掛け壁１４ｃ，１４ｃとを備える略コ字状の部材である。ステンレス鋼板等の板材で成る受プレート１５は、底板１５ａ、背凭れ板１５ｂ、左右一対の支持板１５ｃ，１５ｃを備えて成り、左右一対の蝶ボルト１８，１８を用いてベースプレート１４に左右軸心Ｘ回りで角度変更可能に枢支連結されている。
【００２８】
各側壁１４ｂの先端側には蝶ボルト１８を螺着するためのナット１９及び挿通孔（図示及び符記省略）が設けられており、背凭れ板１５ｂが壁面Ｗに対して所望の傾斜角θとなる状態で左右の蝶ボルト１８を締め込み、受プレート１５を姿勢決定状態でベースプレート１４に螺着係止させるのである。これにより、図５に示すように、置き台１６に雑誌ｍなどを傾けて置くことができる便利な磁着支持具Ａが構築されている。
【００２９】
〔別実施例〕
手指ｙの間隙部１３への差し込みをし易くすべく、図７の紙面右側に示すように、張出し板部１１を、その背面１１ａが横端に行くに従って前方に寄る角度αが付くように傾斜させた先窄まり形状とした構造の磁着支持具Ａでも良い。また、同様の目的によりに、図７の紙面左側に示すように、張出し板部１１をその付根部から壁面Ｗに対する前方に寄るように曲げ、開き角βが付くようにした構造の磁着支持具Ａでも良い。
【００３０】
支持部２としては、図示は省略するが、平板部１Ａに形成された孔２Ａのほか、枠体１に一体成形された引掛けフック部や、無蓋箱（袋）状の収容部など、種々の変更設定が可能である。また、図５，６に示す置き台１７が枠体１に一体的に形成されている場合には、その置き台１７の全体が支持部２と定義しても良い。
【符号の説明】
【００３１】
１          枠体
１Ｂ        囲み部分
２          支持部
２Ａ        孔
３          磁石
６          棒状体
１１        磁石の横側方に位置する部分
１３        間隙部
Ｍ          被支持対象
Ｗ          壁面
ｙ          手指
【図１】
0005898839.tif 000002
【図２】
0005898839.tif 000003
【図３】
0005898839.tif 000004
【図４】
0005898839.tif 000005
【図５】
0005898839.tif 000006
【図６】
0005898839.tif 000007
【図７】
0005898839.tif 000008
【図８】
0005898839.tif 000009